(57)【要約】【課題】部品点数を増加させずに文字板をさらに強固に固定することができる計器装置を提供すること。【解決手段】文字板支持部（３０）は、素材に樹脂が用いられ、回転軸（１５ａ）を囲うと共に回転軸（１５ａ）に沿って延びる軸部（３１）と、軸部（３１）の上端において貫通孔（１７ｄ）から文字板（１７）の上面まで延び文字板（１７）の浮き上がりを防止する浮き上がり防止部（３２）と、軸部（３１）から広がり先端部（３３ａ）が文字板（１７）の下面に当接することにより文字板（１７）を下方から支持する下部支持部（３３）と、が一体的に形成されてなる。下部支持部（３３）は、浮き上がり防止部（３２）の下方に重なる位置に空けられた第１の孔部（３３ｂ）と、第１の孔部（３３ｂ）及び先端部（３３ａ）の間に空けられた第２の孔部（３３ｃ）と、を有する。【選択図】図５
2018004303.tif 000002
【特許請求の範囲】
【請求項１】
上方が開口したケース体に、情報が表示された文字板が被せられ、この文字板上を指針が回転する計器装置において、
前記ケース体は、前記指針の回転軸を囲うようにして前記文字板を支持する文字板支持部を有し、
この文字板支持部の下部に前記指針を照射する光源が設けられ、
前記文字板は、前記指針の回転軸が貫通する貫通孔を有し、
前記文字板支持部は、前記回転軸を囲うと共に前記回転軸に沿って延びる軸部と、この軸部の上端において前記貫通孔から前記文字板の上面まで延び前記文字板の浮き上がりを防止する浮き上がり防止部と、前記軸部から広がり先端部が前記文字板の下面に当接することにより前記文字板を下方から支持する下部支持部と、を備え、
前記下部支持部は、前記浮き上がり防止部の下方に重なる位置に空けられた第１の孔部と、この第１の孔部及び前記先端部の間に空けられた第２の孔部と、を有することを特徴とする計器装置。
【請求項２】
前記ケース体に、情報を液晶表示する液晶表示装置がさらに収納され、
前記液晶表示装置は、前記文字板の一部に形成された開口部に臨み、
前記光源は、前記液晶表示装置を下面から照らすバックライトを兼ねることを特徴とする請求項１記載の計器装置。
【発明の詳細な説明】
【技術分野】
【０００１】
本発明は、指針が文字板上を回転する計器装置に関する。
【背景技術】
【０００２】
多くの車両において、乗員の前方には車速計等の計器装置が配置されている。このような計器装置は、回転可能に設けられた指針が文字板上の数字を指示することにより、運転者に車速を認識させることができる。このような計器装置に関する技術として、特許文献１による技術が知られている。
【０００３】
図８（ａ）及び図８（ｂ）を参照する。図８（ａ）は、特許文献１の図８を再掲した図であり、図８（ｂ）は、特許文献１の図１を再掲した図である。符号は、適宜振り直している。特許文献１に示される計器装置１００は、上方が開口したケース体１２０に、情報が表示された文字板１１７が被せられ、図示省略したステッピングモータに回転可能に支持された指針１１５が文字板１１７上を回転する。
【０００４】
図９を併せて参照する。図９は、特許文献１の図３を再掲した図である。文字板１１７は、指針１１５の回転軸１１５ａが貫通する貫通孔１１７ｄを有している。この貫通孔１１７ｄから文字板１１７の上面まで延びる浮き上がり防止部１３２によって、文字板１１７は、樹脂製のケース体１２０から浮き上がることを防止されている。部品点数を増加させずに文字板１１７をさらに強固に固定することができれば望ましい。
【先行技術文献】
【特許文献】
【０００５】
【特許文献１】特開２０１６−６１７１１号公報
【発明の概要】
【発明が解決しようとする課題】
【０００６】
本発明は、部品点数を増加させずに文字板をさらに強固に固定することができる技術の提供を課題とする。
【課題を解決するための手段】
【０００７】
図１を参照する。本発明者らは、上記課題を解決すべく鋭意研究を行った結果、本発明の前提となる発明を知見した。本発明の前提となる発明を図１に沿って説明する。図１には計器装置１が示されている。計器装置１は、例えば車速計である。
【０００８】
計器装置１は、上方が開口したケース体２０に、数字や目盛りが表示された文字板１７が被せられ、文字板１７上を指針１５が回転する。
【０００９】
ケース体２０は、指針１５の回転軸１５ａを囲うようにして文字板１７を支持する文字板支持部３０を有し、この文字板支持部３０の下部に指針１５を照明する光源１３が設けられている。
【００１０】
文字板１７は、指針１５の回転軸１５ａが貫通する貫通孔１７ｄを有している。文字板１７は、透明の樹脂板の表面又は裏面に数字や目盛り等の印刷が施されてなる。文字板１７は、数字や目盛りが表示された部位において透光性を有し、その他の部位で遮光性を有する。
【００１１】
文字板支持部３０は、射出成形によって成形された樹脂製品である。文字板支持部３０は、回転軸１５ａを囲うと共に回転軸１５ａに沿って延びる軸部３１と、この軸部３１の上端において貫通孔１７ｄから文字板１７の上面まで延び文字板１７の浮き上がりを防止する浮き上がり防止部３２と、軸部３１から広がり先端部３３ａが文字板１７の下面に当接することにより文字板１７を下方から支持する下部支持部３３と、が一体的に形成されてなる。
【００１２】
光源１３は、指針１５を照明すると共に、液晶表示装置１８を下方から照明している。
【００１３】
文字板支持部３０は、文字板１７を下方から支持する下部支持部３３を有している。下部支持部３３の先端部３３ａによって文字板１７を下方から支持することにより、文字板１７を強固に固定することができる。このとき、下部支持部３３は、文字板支持部３０に一体的に形成されているため、部品点数が増加することはない。即ち、部品点数を増加させずに文字板をさらに強固に固定することができる。
【００１４】
ところで、下部支持部３３は、浮き上がり防止部３２の下方に空けられた第１の孔部３３ｂを有している。この第１の孔部３３ｂは、文字板支持部３０の成形時に必要な型抜き孔である。即ち、周方向に突出する浮き上がり防止部３２を形成するために必要な孔である。
【００１５】
ここで、光源１３から出射された光が第１の孔部３３ｂを通過して文字板１７と文字板支持部３０とによって形成された領域（空所）を照射していることが分かった。この領域において文字板１７は遮光性を有しているため、光源１３から出射された光のエネルギが無駄に消耗されていることとなる。
【００１６】
本発明者らは、研究を重ねた結果、本発明を知見した。
【００１７】
請求項１による発明によれば、上方が開口したケース体に、情報が表示された文字板が被せられ、この文字板上を指針が回転する計器装置において、
前記ケース体は、前記指針の回転軸を囲うようにして前記文字板を支持する文字板支持部を有し、
この文字板支持部の下部に前記指針を照射する光源が設けられ、
前記文字板は、前記指針の回転軸が貫通する貫通孔を有し、
前記文字板支持部は、素材に樹脂が用いられ、前記回転軸を囲うと共に前記回転軸に沿って延びる軸部と、この軸部の上端において前記貫通孔から前記文字板の上面まで延び前記文字板の浮き上がりを防止する浮き上がり防止部と、前記軸部から広がり先端部が前記文字板の下面に当接することにより前記文字板を下方から支持する下部支持部と、を備え、
前記下部支持部は、前記浮き上がり防止部の下方に重なる位置に空けられた第１の孔部と、この第１の孔部及び前記先端部の間に空けられた第２の孔部と、を有することを特徴とする計器装置が提供される。
【００１８】
請求項２に記載のごとく、好ましくは、前記ケース体に、情報を液晶表示する液晶表示装置がさらに収納され、
前記液晶表示装置は、前記文字板の一部に形成された開口部に臨み、
前記光源は、前記液晶表示装置を下面から照らすバックライトを兼ねる。
【発明の効果】
【００１９】
請求項１に係る発明では、文字板支持部は、文字板を下方から支持する下部支持部を有している。下部支持部によって文字板を下方から支持することにより、文字板を強固に固定することができる。このとき、下部支持部は、文字板支持部に一体的に形成されているため、部品点数が増加することはない。即ち、部品点数を増加させずに文字板をさらに強固に固定することができる。
【００２０】
さらに、下部支持部は、第１の孔部及び先端部の間に空けられた第２の孔部と、を有する。第１の孔部を通過した光は、文字板又は下部支持部によって反射される。反射された光の一部は、第２の孔部を通過する。第２の孔部を通過させることにより、他の部位を照射することができる。光源から出射された光のエネルギを効率的に利用することができる。
【００２１】
請求項２に係る発明では、光源は、液晶表示装置を下面から照らすバックライトを兼ねる。少ない光源によって様々な部品を照射することができる。光源の数を減らすことができ、部品点数の削減に資する。
【図面の簡単な説明】
【００２２】
【図１】本発明の前提となる計器装置の断面図である。
【図２】本発明の実施例による計器装置の平面図である。
【図３】図２の３−３線断面図である。
【図４】図３に示されたケース体を上方から見た状態の要部拡大図である。
【図５】図３に示された計器装置の要部拡大図である。
【図６】図５に示された計器装置の変形例について説明する図である。
【図７】図４に示された計器装置の変形例について説明する図である。
【図８】従来の技術の基本構成について説明する図である。
【図９】図８（ｂ）の９−９線断面図である。
【発明を実施するための形態】
【００２３】
本発明の実施の形態を添付図に基づいて以下に説明する。
＜実施例＞
【００２４】
図２を参照する。計器装置１０は、例えば、二輪車の車速計として用いられる。以下、二輪車の車速計を前提に説明を行う。
【００２５】
図３を参照する。計器装置１０は、上方が開口したポリプロピレン製の下ケース１１と、この下ケース１１に収納されると共に支持されている回路基板１２と、この回路基板１２に実装された単一の光源（ＬＥＤ）１３及びステッピングモータ１４と、このステッピングモータ１４によって回転可能に支持された指針１５と、回路基板１２に支持され上方が開口した樹脂製のケース体２０と、このケース体２０の上面を閉じていると共に指針１５が貫通している文字板１７と、この文字板１７に空けられた開口部１７ａを臨むように設けられ、且つ、情報を液晶表示する液晶表示装置１８と、これらの回路基板１２、光源１３、ステッピングモータ１４、指針１５、ケース体２０、文字板１７、液晶表示装置１８を覆うと共に下ケース１１に固定された蓋体１９と、からなる。
【００２６】
下ケース１１は、底面部１１ａから上方に突出する複数の突起部１１ｂを有している。回路基板１２は、これらの突起部１１ｂに載せられている。
【００２７】
指針１５は、透光性を有する樹脂によって形成される。指針１５は、導光体の役割を果たすと共に指針１５内に導入された照明光を上方に向かって反射させる。これにより、指針１５は、高い視認性を有している。
【００２８】
ケース体２０は、ポリプロピレン製の射出成形品が用いられている。ケース体２０は、回路基板１２からそれぞれ長さの異なる複数の脚部２１が立てられ、これらの脚部２１の上端を球面状に繋ぐ球面部（反射壁部）２２を有している。
【００２９】
ケース体２０は、さらに、指針１５の回転軸１５ａを囲うようにして文字板１７を支持する文字板支持部３０を有している。文字板支持部３０は、球面部２２によって囲われている。球面部２２の先端（周縁）は、文字板１７の下面に当接している。即ち、球面部２２の先端は、文字板支持部３０と共に文字板１７を下面から支持している。
【００３０】
文字板支持部３０は、回転軸１５ａを囲うと共に回転軸１５ａに沿って延びる軸部３１と、この軸部３１の上端において文字板１７の上面まで延び文字板１７の浮き上がりを防止する浮き上がり防止部３２と、軸部３１から広がり先端部３３ａが文字板１７の下面に当接することにより文字板１７を下方から支持する下部支持部３３と、を有している。
【００３１】
下部支持部３３は、浮き上がり防止部３２の下方に重なる位置に空けられた第１の孔部３３ｂと、この第１の孔部３３ｂ及び先端部３３ａの間に空けられた第２の孔部３３ｃと、を有する。
【００３２】
図４を参照する。球面部２２は、平面視において略Ｃ字状を呈している。
【００３３】
軸部３１は、円筒状に形成され、この上端に等間隔に３箇所浮き上がり防止部３２が形成されている。
【００３４】
第２の孔部３３ｃは、平面視において略三角形状を呈し、下部支持部３３に６箇所形成されている。第２の孔部３３は、回転軸１５ａを中心に等間隔に形成されている。
【００３５】
図２を参照する。文字板１７は、表面に車速を示す数字１７ｂやこれらの数字１７ｂに対応した位置に目盛り１７ｃが印刷されてなる。これらの数字１７ｂや目盛り１７ｃは、運転者に車速情報を伝えるための文字情報と言うことができる。
【００３６】
文字板１７は、透光性を有する板状の樹脂部品であり、表裏面に印刷が施されている。表面に印刷された数字１７ｂや目盛り１７ｃの情報部分は、透光性を有し、その他の部分は、透光性を有しない。即ち、その他の部分は、遮光性を有する。これらは印刷の色等によって調節されている。下方から光源１３（図３参照）によって数字１７ｂや目盛り１７ｃに光を照射することにより、数字１７ｂや目盛り１７ｃの文字情報の高い視認性を確保している。
【００３７】
図３を参照する。文字板１７は、指針１５の回転軸１５ａ、及び、ケース体２０の軸部３１が貫通する貫通孔１７ｄを有している。文字板１７は、貫通孔１７ｄを軸部３１に重ねると共に、回転させることにより貫通孔１７ｄの縁部分が浮き上がり防止部３２の下方に入り込む。貫通孔１７ｄは、円（真円）形状ではなく、浮き上がり防止部３２に重ね合わせることができるよう部分的に貫通孔１７ｄに連通する例えば３つの切欠孔１７ｅを有する（例えば、従来技術として開示した図８や図９の符号１１７ｅが切欠孔に相当する）。
【００３８】
蓋体１９は、アクリル樹脂製の透明な樹脂部品である。蓋体１９は、下ケース１１に形成された爪に対して、蓋体１９に形成された係止孔が係止されている。また、蓋体１９は、下ケース１１に対してビス等の締結部材を介して固定されている。
【００３９】
図５を参照する。回転軸１５ａの近傍となる回路基板１２上に実装された光源１３は、例えば、二輪車のイグニッションスイッチをオンにすることにより点灯する。光源１３は、指針１５、及び、液晶表示装置１８を下方から照明する。
【００４０】
光源１３から出射された光の一部は、第１の孔部３３ｂを通過する。第１の孔部３３ｂを通過した光は、文字板１７の下面（裏面）や下部支持部３３によって反射される。反射された光は、第２の孔部３３ｃを通過する。
【００４１】
図３を併せて参照する。第２の孔部３３ｃを通過した光の一部は、球面部２２によって数字１７ｂや目盛り１７ｃの下面に向かって反射される。
【００４２】
以上に説明した本発明は、以下の効果を奏する。
【００４３】
文字板支持部３０は、文字板１７を下方から支持する下部支持部３３を有している。下部支持部３３によって文字板１７を下方から支持することにより、文字板１７を強固に固定することができる。このとき、下部支持部３３は、文字板支持部３０に一体的に形成されているため、部品点数が増加することはない。即ち、部品点数を増加させずに文字板１７をさらに強固に固定することができる。
【００４４】
さらに、下部支持部３３は、第１の孔部３３ｂ及び先端部３３ａの間に空けられた第２の孔部３３ｃと、を有する。第１の孔部３３ｂを通過した光は、文字板１７又は下部支持部３３によって反射される。反射された光の一部は、第２の孔部３３ｃを通過する。第２の孔部３３ｃを通過させることにより、他の部位（例えば、数字１７ｂ）を照明することができる。光源１３から出射された光のエネルギを効率的に利用することができる。
【００４５】
さらに、光源１３は、液晶表示装置１８を下面から照らすバックライトを兼ねる。少ない光源によって様々な部品（被照明体）を照明することができる。光源の数を減らすことができ、部品点数の削減に資する。
【００４６】
図６を参照する。図６には、図５に示された計器装置の変形例が示されている。回転軸１５ａの近傍となる回路基板１２上に２つの光源１３が配置されている。このような場合においても本発明と同等の効果を得ることができる。
【００４７】
さらに、複数の光源１３のうちの少なくとも１つの光源１３は、第１の孔部３３ｂの下方に位置している。この場合には、光の大部分が第１の孔部３３ｂを通過することとなる。そして、第１の孔部３３ｂを通過した光は、反射されて第２の孔部３３ｃを通過し、数字１７ｂ（図３参照）等を照射するため、特に好ましい。
【００４８】
図３及び図４を併せて参照する。文字板支持部３０は、平面視において球面部２２によって囲われている。第２の孔３３ｃを通過した光を文字板１７に向かって確実に反射させることができる。これにより、効率的に光源１３から出射された光を利用することができる。
【００４９】
さらに、回転軸１５ａを基準として、球面部２２の外周側の端部の先端は、文字板１７の下面に当接している。これにより、文字板１７と球面部２２との間から外方へ光が漏れることを防止することができる。これにより、光源１３から出射された光をより効率的に利用することができる。
【００５０】
図７を参照する。図７には、図４に示された計器装置の変形例が示されている。第２の孔部３３ｃは、回転軸１５ａを中心にして、等間隔ではなく下部支持部３３に不規則に形成されている。このような場合であっても本発明と同等の効果を得ることができる。
【００５１】
加えて、不規則に第２の孔部３３ｃが形成されることにより、特に強調したい部分に集中的に光を反射させることができる。これにより、意匠性を高めることができる。
【００５２】
尚、本発明による計器装置は、二輪車の車速計を例に説明したが、他の形式のものであっても適用可能であり、これらの形式のものに限られるものではない。
【００５３】
即ち、二輪車以外の車両の他、航空機、船舶等の他の乗り物に適用することもできる。さらに、タコメータや燃料計等の他の計器に適用することもできる。
【００５４】
本発明の作用及び効果を奏する限りにおいて、本発明は、実施例に限定されるものではない。
【産業上の利用可能性】
【００５５】
本発明の計器装置は、二輪車の車速計に好適である。
【符号の説明】
【００５６】
１０…計器装置
１２…回路基板
１３…光源
１５…指針
１５ａ…回転軸
１７…文字板
１７ｄ…貫通孔
１８…液晶表示装置
２０…ケース体
３０…文字板支持部
３１…軸部
３２…浮き上がり防止部
３３…下部支持部
３３ａ…先端部
３３ｂ…第１の孔部
３３ｃ…第２の孔部
【図１】
2018004303.tif 000003
【図２】
2018004303.tif 000004
【図３】
2018004303.tif 000005
【図４】
2018004303.tif 000006
【図５】
2018004303.tif 000007
【図６】
2018004303.tif 000008
【図７】
2018004303.tif 000009
【図８】
2018004303.tif 000010
【図９】
2018004303.tif 000011